(57)【要約】【課題】ハードディスクドライブとメディア交換可能なディスクドライブの両方を搭載した、ノート型コンピュータ等の電池駆動型情報処理装置において、電池の小型化と部品削減を目的に、最大消費電力を低減した、電池駆動型情報処理装置を実現することを目的とする。【解決手段】ＣＤ−ＲＯＭ４をＣＤ−ＲＯＭドライブ１に装着する為に、スイッチ６を押して、トレイ５を開けると、ドライブコントローラ９は、トレイオープン信号１４を検知して、演算装置１０に、トレイ５が開いたことを知らせる。演算装置１０は、ハードディスクドライブ２に対して、省電力モードからの復帰を指示し、もし、ハードディスクドライブ２が省電力モードに入っていれば、ハードディスクドライブ２は、省電力モードから復帰して、ディスクを回転させるモータをまわし続ける。【選択図】  図２
2005011193.tif 000002
【特許請求の範囲】
【請求項１】
メディア交換可能なドライブと、前記ドライブにメディアを装着することが可能になったことを検知する機能を持った検知部と、モータを停止する機能を持ったハードディスクドライブと、前記ハードディスクドライブにモータを停止させることを禁止する信号を送出するコントロール部とを備え、前記検知部が前記ドライブにメディアを装着することが可能になったことを検知した時に、前記コントロール部が前記ハードディスクドライブにモータを停止させることを禁止する信号を送出し前記ハードディスクドライブの省電力モードへの遷移を禁止する電池駆動型情報処理装置。
【請求項２】
メディア交換可能なドライブのメディアが装着されるトレイがオープンしたことを以って、前記ドライブにメディアを装着することが可能になったことの検知とすることを特徴とする請求項１記載の電池駆動型情報処理装置。
【請求項３】
メディア交換可能なドライブのメディアが挿入される蓋がオープンしたことを以って、前記ドライブにメディアを装着することが可能になったことの検知とすることを特徴とする請求項１記載の電池駆動型情報処理装置。
【請求項４】
メディア交換可能なドライブと、前記ドライブにメディアが装着されていることを検知する機能を持った検知部と、モータを停止する機能を持ったハードディスクドライブと、前記ハードディスクドライブにモータを停止させることを禁止する信号を送出するコントロール部とを備え、前記検知部が前記ドライブにメディアが装着されていることを検知している間は、前記コントロール部が前記ハードディスクドライブにモータを停止させることを禁止する信号を送出し前記ハードディスクドライブの省電力モードへの遷移を禁止する電池駆動型情報処理装置。
【請求項５】
ハードディスクドライブに周期的にダミーアクセスを行い、前記ハードディスクドライブの省電力モードへの遷移を禁止することを特徴とする請求項１記載の電池駆動型情報処理装置。
【請求項６】
ハードディスクドライブに周期的にダミーアクセスを行い、ハードディスクドライブの省電力モードへの遷移を禁止することを特徴とする請求項４記載の電池駆動型情報処理装置。
【発明の詳細な説明】
【０００１】
【発明の属する技術分野】
本発明は、ハードディスクドライブと、ＣＤ−ＲＯＭドライブ等のメディア交換可能なディスクドライブ装置の両方を搭載した、ノート型パーソナルコンピュータ等の電池駆動型情報処理装置に関するものである。
【０００２】
【従来の技術】
従来、ノート型パーソナルコンピュータ等の電池駆動型情報処理装置においては、各部を電池により駆動させるため、使用しない機能モジュールには電源を供給しないなどの省電力モードを備えたものが考えられている（例えば特許文献１参照）。
【０００３】
このような中で、ハードディスクドライブと、ＣＤ−ＲＯＭドライブ等のメディア交換可能なディスクドライブ装置の両方を搭載している場合、ハードディスクドライブの省電力動作と、ＣＤ−ＲＯＭドライブの動作とは、特に関連付けられていなかった。一般的にハードディスクドライブが省電力モードに入ると、ハードディスクドライブのディスクを回転させるモータは停止しているが、再度ハードディスクドライブにアクセスする時には、前記モータを再度起動するためには、通常動作時よりも、大きな電力を必要とする。また、メディア交換可能なディスクドライブにおいても、メディアが装着された瞬間はメディアの情報を得るために、メディアを回転させるモータが起動する。また、メディアが装着している状態においても、省電力の為、一旦メディアを回転させるモータを停止する時があり、再度アクセスが必要なときはモータが起動する。ハードディスクドライブ同様、メディア交換可能なディスクドライブにおいても、モータ起動時には、通常動作時より大きな電力を必要とする。そこで、従来のノート型パーソナルコンピュータ等の電池駆動型情報処理装置においては、ハードディスクドライブとメディア交換可能なディスクドライブの両方を搭載した場合に、ハードディスクドライブと、メディア交換可能なディスクドライブの、それぞれのモータが同時に起動するときの最大電力を勘案し、それ以外の電力消費と合算して、装置全体の電力を算出して、その電力を供給できる電池を搭載するのが一般的であった。
【０００４】
【特許文献１】
特開平１０−２６８９８７号公報
【０００５】
【発明が解決しようとする課題】
しかしながら、ノート型パーソナルコンピュータ等の、電池駆動型情報処理装置に搭載される電池は、電池内部の発熱を抑える為に、電流による保護回路を設けていたり、電池内部の回路小型化や、部品の削減のため、最大放電電力に制限がある。この制限を大きくしようとすると、電池内部の回路を搭載する場所が大きくなったり、大電流が流せる高価な部品を使用する必要があり、電池の小型化や部品削減のためには、電池の最大放電電力は小さい方が良い。
【０００６】
このように、電池駆動型情報処理装置においては、電池の最大放電電力を小さくすることが求められており、ハードディスクドライブとメディア交換可能なディスクドライブを搭載したノート型パーソナルコンピュータにおいても、同様のことが求められている。
【０００７】
本発明は、このようなハードディスクドライブとメディア交換可能なディスクドライブの両方を搭載した、ノート型コンピュータ等の電池駆動型情報処理装置において、電池の小型化と部品削減を目的に、最大消費電力を低減した、電池駆動型情報処理装置を実現することを目的とする。
【０００８】
【課題を解決するための手段】
この課題を解決するために本発明は、メディア交換可能なディスクドライブのモータが起動する可能性がある状態を検知して、その状態においては、ハードディスクドライブを省電力モード等によるモータ停止状態にせず、メディア交換可能なディスクドライブとハードディスクドライブの両方のモータが同時に起動することが無いように構成したものである。
【０００９】
これにより、それぞれのモータが同時に起動する場合の装置全体の電力よりも、電力を低減することができ、装置に搭載される電池の小型化と部品削減を実現することが出来る。
【００１０】
【発明の実施の形態】
本発明の請求項１に記載の発明は、メディア交換可能なドライブと、前記ドライブにメディアを装着することが可能になったことを検知する機能を持った検知部と、モータを停止する機能を持ったハードディスクドライブと、前記ハードディスクドライブにモータを停止させることを禁止する信号を送出するコントロール部とを備え、前記検知部が前記ドライブにメディアを装着することが可能になったことを検出した時に、前記コントロール部が前記ハードディスクドライブにモータを停止させることを禁止する信号を送出し前記ハードディスクドライブの省電力モードへの遷移を禁止する電池駆動型情報処理装置であり、メディア交換可能なディスクドライブとハードディスクドライブの両方のモータが同時に起動することが無く、電池の最大消費電力を低減できるという作用を有する。
【００１１】
請求項２に記載の発明は、請求項１記載の情報処理装置において、メディア交換可能なドライブのメディアが装着されるトレイがオープンしたことを以って、前記ドライブにメディアを装着することが可能になったことの検知とすることを特徴とするものであり、トレイがオープンしたことを検知し、ハードディスクドライブのモータを停止できないようにすることにより、メディア交換可能なディスクドライブとハードディスクドライブの両方のモータが同時に起動することが無く、電池の最大消費電力を低減できるという作用を有する。
【００１２】
請求項３に記載の発明は、請求項１記載の情報処理装置において、メディア交換可能なドライブのメディアが挿入される蓋がオープンしたことを以って、前記ドライブにメディアを装着することが可能になったことの検知とすることを特徴とするものであり、蓋が開いたことを検知し、ハードディスクドライブのモータを停止できないようにすることにより、メディア交換可能なディスクドライブとハードディスクドライブの両方のモータが同時に起動することが無く、電池の最大消費電力を低減できるという作用を有する。
【００１３】
請求項４に記載の発明は、メディア交換可能なドライブと、前記ドライブにメディアが装着されていることを検知する機能を持った検知部と、モータを停止する機能を持ったハードディスクドライブと、前記ハードディスクドライブにモータを停止させることを禁止する信号を送出するコントロール部とを備え、前記検知部が前記ドライブにメディアが装着されていることを検出している間は、ハードディスクドライブのモータが停止できないようにすることにより、メディア交換可能なディスクドライブとハードディスクドライブの両方のモータが同時に起動することが無く、電池の最大消費電力を低減できるという作用を有する。
【００１４】
請求項５に記載の発明は、請求項１記載の電池駆動型情報処理装置において、ハードディスクドライブに周期的にダミーアクセスを行い、前記ハードディスクドライブの省電力モードへの遷移を禁止することを特徴とするもので、ハードディスクドライブ独自の省電力モード移行や、ＯＳによるハードディスクドライブの省電力モード移行を阻止することにより、メディア交換可能なディスクドライブとハードディスクドライブの両方のモータが同時に起動することが無く、電池の最大消費電力を低減できるという作用を有する。
【００１５】
請求項６に記載の発明は、請求項４記載の電池駆動型情報処理装置において、ハードディスクドライブに周期的にダミーアクセスを行い、前記ハードディスクドライブの省電力モードへの遷移を禁止することを特徴とするもので、ハードディスクドライブ独自の省電力モード移行や、ＯＳによるハードディスクドライブの省電力モード移行を阻止することにより、メディア交換可能なディスクドライブとハードディスクドライブの両方のモータが同時に起動することが無く、電池の最大消費電力を低減できるという作用を有する。
【００１６】
以下、本発明の実施の形態について、図１から図３を用いて説明する。
【００１７】
（実施の形態１）
図１は本発明の実施の形態１におけるメディア交換可能なドライブであるＣＤ−ＲＯＭドライブとハードディスクドライブを備えた、電池駆動型情報処理装置であるノートパソコンの斜視図、図２は、前記ノートパソコンの論理的な配線図である。図において、１はＣＤ−ＲＯＭドライブ、２はハードディスクドライブ、３は電池、４はＣＤ−ＲＯＭドライブ１に装着可能なＣＤ−ＲＯＭ、５はトレイ、６はトレイ５を開閉するためのスイッチ、７はこれらの構成物を内蔵したノートパソコンであるが、内部を解りやすくするため外形を破線で示す。８は電池の電力を各ドライブや回路に供給する為の電圧に変換する電源回路、９は前記ＣＤ−ＲＯＭドライブ１やハードディスクドライブ２の動作を制御したり、データの仲介を行うドライブコントローラ、１０はドライブコントローラ９の動作を決定する機能をもつ演算装置、１１はノートパソコンのその他の回路やドライブ、１２はハードディスクドライブ１をドライブコントローラ９で制御したり、データのやりとりを行うＩＤＥバス、１３はＣＤ−ＲＯＭドライブ１をドライブコントローラ９で制御したり、データのやり取りを行うＩＤＥバス、１４はＣＤ−ＲＯＭドライブ１のトレイ５の状態を知らせるトレイオープン信号、１５は各デバイスが必要とする電力を供給する電力線である。
【００１８】
次に、本実施の形態の具体的な動作について説明する。
【００１９】
ＣＤ−ＲＯＭドライブ１と、ハードディスク２を内蔵し、電池３で動作するノートパソコン７において、ＣＤ−ＲＯＭ４がＣＤ−ＲＯＭドライブ１に搭載されない状態で、トレイ５が閉められた場合、トレイオープン信号１４によって、トレイが閉じられたことが認識され、ＣＤ−ＲＯＭ４が存在しないことが、ＩＤＥバス１３を通じて、ドライブコントローラ９に知らされる。ＣＤ−ＲＯＭ４が存在しないことは、ドライブコントローラ９を通じて、演算装置１０にも知らされる。演算装置１０は、ＣＤ−ＲＯＭ４が存在しないから、ＣＤ−ＲＯＭドライブ１は、電力を大きく消費しないと判断して、ハードディスクドライブ２に対して、省電力モードに入ることを許可する。演算装置１０は、ハードディスクドライブ２へのアクセス状態を検出して、一定時間アクセスがないと判断した時に、ドライブコントローラ９を通じて、ハードディスクドライブ２に対して、省電力モードに入る様に指示する。ハードディスクドライブ２は、省電力モードに入ると、ディスクを回転させるモータを停止する。演算装置１０がハードディスクドライブ２へのアクセスが必要だと判断した時には、ハードディスクドライブ２に省電力モードからの復帰を指示して、再びアクセスする。この時、ハードディスクドライブ２のディスクを回転させるモータが起動するが、この時、通常のアクセスよりも、大きな電力を消費し、電源回路８を通じて、電池３から大きな電力供給を受ける。
【００２０】
一方、ＣＤ−ＲＯＭ４をＣＤ−ＲＯＭドライブ１に装着する為に、スイッチ６を押して、トレイ５を開けると、ドライブコントローラ９は、トレイオープン信号１４を検知して、演算装置１０に、トレイ５が開いたことを知らせる。演算装置１０は、ハードディスクドライブ２に対して、省電力モードからの復帰を指示し、もし、ハードディスクドライブ２が省電力モードに入っていれば、ハードディスクドライブ２は、省電力モードから復帰して、ディスクを回転させるモータをまわし続ける。ハードディスクドライブ２は、モータをまわし続けていれば、モータをまわし始める時よりも、少ない電力で動作し続けることになり、再び通常より大きな電力を消費することはなくなる。トレイ５にＣＤ−ＲＯＭ４を入れた状態で、スイッチ６を押して、ＣＤ−ＲＯＭ４がＣＤ−ＲＯＭドライブ１の内部に装着されると、ＣＤ−ＲＯＭドライブ１はＣＤ−ＲＯＭ４を回転させる為に、モータをまわすことになるが、この時、ＣＤ−ＲＯＭドライブ１として最大の電力を消費することになる。その時、ハードディスクドライブ２は、既にモータをまわし続けている為、それぞれのモータが同時に起動する場合における最大の電力を消費することはない。
【００２１】
また、ＣＤ−ＲＯＭ４がＣＤ−ＲＯＭドライブ１に装着されている間は、ハードディスクドライブ２は常にモータをまわし続けており、この間にＣＤ−ＲＯＭドライブ１が停止、起動を何度繰り返しても、それぞれのモータが同時に起動する場合における最大の電力を消費することはない。
【００２２】
なお、ハードディスクドライブ２を省電力モードに入れないようにする方法としては、ハードディスクドライブをダミーリードするソフトウェアを常駐させることで実現できる。
【００２３】
また、ＣＤ−ＲＯＭ４がＣＤ−ＲＯＭドライブ１に装着されていることの検出は、従来から行なわれており、ここでの説明は行なわない。
【００２４】
このように、ＣＤ−ＲＯＭドライブ１とハードディスクドライブ２の両方のモータが同時に起動することが無く、電池の最大消費電力を低減することができる。
【００２５】
従って、電池内部の発熱を抑える為の電流による保護回路や、電池内部の回路の小型化や、部品の削減が可能となり、ひいてはこれらを内蔵するノートパソコンを小型軽量化することができる。
【００２６】
（実施の形態２）
図３は本発明の実施の形態２におけるＣＤ−ＲＯＭドライブとハードディスクドライブを備えた、電池駆動型情報処理装置であるノートパソコンの斜視図である。図において、実施の形態１と異なるところは、実施の形態１における、ＣＤ−ＲＯＭ４をＣＤ−ＲＯＭドライブ１に装着する為に、スイッチ６を押して、トレイ５を開ける代りに、ＣＤ−ＲＯＭ４を着脱するために開閉する蓋１６をＣＤ−ＲＯＭドライブ１７に設けたところであり、この蓋１６の開閉を検出するスイッチ（図示せず）が、実施の形態１のスイッチ６の機能も保有している。
【００２７】
本実施の形態におけるその他の動作及び効果は、実施の形態１と同様である。
【００２８】
【発明の効果】
以上のように本発明によれば、ＣＤ−ＲＯＭドライブ等のメディア交換可能なドライブと、ハードディスクドライブとが、同時にモータをまわし始めることがなくなり、それぞれのドライブの最大消費電力を合算した電力で、電源回路や電池を構成するよりも、電源回路や電池の小型化や部品削減することが可能になり、ノートパソコン等の電池駆動型情報処理装置の小型軽量化が可能になるという有利な効果が得られる。
【図面の簡単な説明】
【図１】本発明の実施の形態１におけるＣＤ−ＲＯＭドライブとハードディスクドライブを備えたノートパソコンの斜視図
【図２】本発明の実施の形態１におけるノートパソコンの論理的な配線図
【図３】本発明の実施の形態２におけるＣＤ−ＲＯＭドライブとハードディスクドライブを備えたノートパソコンの斜視図
【符号の説明】
１、１７  ＣＤ−ＲＯＭドライブ
２  ハードディスクドライブ
３  電池
４  ＣＤ−ＲＯＭ
５  トレイ
６  スイッチ
７  ノートパソコン
８  電源回路
９  ドライブコントローラ
１０  演算装置
１２、１３  ＩＤＥバス
１４  トレイオープン信号
１６  蓋
【図１】
2005011193.tif 000003
【図２】
2005011193.tif 000004
【図３】
2005011193.tif 000005